(57)【特許請求の範囲】
【請求項１】
原水を供給する水栓に付設されて原水の水路を切替える切替ユニットと、この切替ユニットとは離れて設置され同切替ユニットから水路が切替えられて供給される原水の水処理を行う処理装置本体と、を備えた水処理装置において、切替ユニットには、処理装置本体を無線操作する操作部と、この操作部による無線信号を切替ユニット及び処理装置本体よりも上方に位置する反射部に向けて送信する送信部と、を設け、処理装置本体には、前記反射部で中継反射された無線信号を受信する受信部を設けたことを特徴とする水処理装置。
【請求項２】
前記反射部は天井であることを特徴とする請求項１記載の水処理装置。
【請求項３】
前記反射部として向きを変更可能とした反射板を設置して成ることを特徴とする請求項１記載の水処理装置。
【請求項４】
送信部及び受信部は、切替ユニット、処理装置本体の各上面に設けられたことを特徴とする請求項１から３のいずれか１項記載の水処理装置。
【請求項５】
切替ユニットは、切替えられた水路の種類を表示する水路表示部を有することを特徴とする請求項１から４のいずれか１項記載の水処理装置。
【請求項６】
操作部は、切替ユニットに対して着脱自在に設けられるとともに送信部を有することを特徴とする請求項１から５のいずれか１項記載の水処理装置。
【請求項７】
操作部は、その電源として電池を使用するものであることを特徴とする請求項１から６のいずれか１項記載の水処理装置。
【発明の詳細な説明】
【技術分野】
【０００１】
本願発明は、水道水等の原水を浄化処理や電解処理等して、生成された処理水を供給する水処理装置に関する。
【背景技術】
【０００２】
水処理装置においては、水道水等の原水を供給する水栓に配置され原水を所定の水路のいずれかに切替える切替ユニットに操作部を備えており、この操作部により、台所の流し台等に設置され切替ユニットから供給された原水の浄化処理等を行なう処理装置本体から供給される処理水の水質を、所定の水質に設定することができる。
【０００３】
操作部において所定の水質が設定されると、切替ユニットより送信された信号が切替ユニットと処理装置本体とを接続した信号線を介して伝わり処理装置本体において受信される。
【０００４】
信号を受信した処理装置本体は、設定された水質に応じて原水の処理を行い処理水を供給している。
【０００５】
この切替ユニットに設けられた操作部を用いることで、処理装置本体側で水質の設定操作をすることを要せずに所定の水質を設定することができる水処理装置が提案されている（特許文献１参照）。
【０００６】
さらに操作部において設定された水質を、切替ユニットに設けられた送信部から無線信号により処理装置本体へ送信し、送信された無線信号を処理装置本体に設けられた受信部において直接受信することで、信号線の設置を要しない水処理装置が提案されている（特許文献２参照）。
【特許文献１】特開平０９−２７６８７１号公報
【特許文献２】特開平１１−２７７０４６号公報
【発明の開示】
【発明が解決しようとする課題】
【０００７】
しかしながら前記背景技術の特許文献１に記載の水処理装置では、切替ユニットから送信された信号は信号線により処理装置本体へ伝わるために、切替ユニットと処理装置本体との間には切替ユニットから処理装置本体へ原水を供給する水路に加えて、前記信号線を設ける必要が生じていた。
【０００８】
このため、水処理装置の設置工事に手間がかかるだけでなく設置後の外観上も繁雑な印象を与えてしまうことがあった。
【０００９】
また、前記背景技術の特許文献２に記載の水処理装置では、切替ユニットより処理装置本体へ送信される信号は無線信号であることから信号線を設ける必要がないために、設置工事に手間は要せずかつ設置後の外観も繁雑な印象を与えることはない。
【００１０】
しかしながら流し台のスペースは限られたものであり、流し台上には食器類や調理器具は言うにおよばず、調味料や洗剤のボトル等が置かれることが多く、さらに切替えユニットは水栓に設けられていることから、使用者の都合により様々な向きに変更されてしまう。
【００１１】
よって、切替ユニットと処理装置本体との間に上記の物が置かれていた場合や切替ユニットの向きのよっては、切替ユニットから送信された無線信号を処理装置本体で受信することが困難になることがあった。
【００１２】
この場合は、操作部で選択された水質の処理水を処理装置本体より供給することができなくなったり、また水処理装置の設置場所が制約を受けたりすることで、水処理装置や台所の使い勝手を悪化させることにつながっていた。
【００１３】
本願発明はこのような従来の課題を解決するものであり、切替ユニットより送信された無線信号を処理装置本体において常時確実に受信することで、処理装置本体の設置場所の制約が少なくかつ使い勝手のよい水処理装置を提供することを目的とする。
【課題を解決するための手段】
【００１４】
上記課題を解決するために、本願請求項１記載の発明は、原水を供給する水栓１に付設されて原水の水路を切替える切替ユニット３と、この切替ユニット３とは離れて設置され同切替ユニット３から水路が切替えられて供給される原水の水処理を行う処理装置本体２と、を備えた水処理装置において、切替ユニット３には、処理装置本体２を無線操作する操作部６と、この操作部６による無線信号を切替ユニット３及び処理装置本体２よりも上方に位置する反射部８に向けて送信する送信部７と、を設け、処理装置本体２には、前記反射部８で中継反射された無線信号を受信する受信部９を設けたことを特徴としている。この構成により切替ユニット３より送信された無線信号を反射部８による中継反射を用いることで処理装置本体２において常時確実に受信できる。
【００１５】
本願請求項２記載の発明は、上記請求項1記載の水処理装置において、前記反射部８は天井８ａであることを特徴としている。この構成により操作部６の送信部７から送信した無線信号を部屋の天井８ａを利用して処理装置本体２の受信部９で受信できる。
【００１６】
本願請求項３記載の発明は、上記請求項1記載の水処理装置において、前記反射部８として向きを変更可能とした反射板８ｂを設置して成ることを特徴としている。この構成により、反射板８ｂを処理装置本体２の受信部９に向けることで、送信部７から送信した無線信号を反射板８ｂを中継反射して処理装置本体２の受信部９で受信できるようになる。
【００１７】
本願請求項４記載の発明は、上記請求項1から３のいずれか１項記載の水処理装置において、送信部７及び受信部９は、切替ユニット３、処理装置本体２の各上面に設けられたことを特徴としている。このように送信部７および受信部９を切替ユニット３、処理装置本体２の各上面に設けることで、送信部７から天井８ａへ向けて無線信号を送信することができるとともに、天井８ａで中継反射された無線信号を受信部９において確実に受信することができる。
【００１８】
本願請求項５記載の発明は、上記請求項1から４のいずれか１項記載の水処理装置において、切替ユニット３は、切替えられた水路の種類を表示する水路表示部１３を有することを特徴としている。この構成により、切替えられた水路の種類を切替ユニット３に設けられた水路表示部１３により容易に確認することができる。
【００１９】
本願請求項６記載の発明は、上記請求項１から５のいずれか１項に記載の水処理装置において、操作部６は、切替ユニット３に対して着脱自在に設けられるとともに送信部７を有することを特徴としている。このように操作部６を切替ユニット３に対して着脱自在に設けるとともに操作部６に送信部７を有することで、使用者が操作部６を携帯したり、使いやすい場所に設置したりできる。
【００２０】
本願請求項７記載の発明は、上記請求項１から６のいずれか１項に記載の水処理装置において、操作部６は、その電源として電池１６ａを使用するものであることを特徴としている。これにより操作部６へ電源を供給する必要がなくなる。
【発明の効果】
【００２１】
本願請求項１記載の発明の水処理装置においては、切替ユニットより送信された無線信号を反射部による中継反射を用いることで処理装置本体において常時確実に受信でき、これにより処理装置本体の設置場所の制約が少なくかつ使い勝手をよくすることができる。
【００２２】
本願請求項２記載の発明の水処理装置においては、請求項1記載の発明の効果に加えて、操作部の送信部から送信した無線信号を部屋の天井を利用して処理装置本体の受信部で受信でき、別途反射部を設置する必要がない。
【００２３】
本願請求項３記載の発明の水処理装置においては、請求項1記載の発明の効果に加えて、反射板を処理装置本体の受信部に向けて、送信部から送信した無線信号を反射板を中継反射して処理装置本体の受信部で受信でき、部屋の天井が無線信号を中継反射し難い素材の場合や、天井が非常に高く無線信号の中継反射に適さない場合などにも、切替ユニットより送信された無線信号を中継反射を用いて処理装置本体の受信部にて確実に受信できる。
【００２４】
本願請求項４記載の発明の水処理装置においては、請求項１から３のいずれか１項の発明の効果に加えて、送信部および受信部を切替ユニット、処理装置本体の各上面に設けることで、送信部から天井へ向けて無線信号を送信することができるとともに、天井で中継反射された無線信号を受信部において確実に受信することができる。
【００２５】
本願請求項５記載の発明の水処理装置においては、請求項１から４のいずれか１項の発明の効果に加えて、切替えられた水路の種類を切替ユニットに設けられた水路表示部により容易に確認することができる。
【００２６】
本願請求項６記載の発明の水処理装置においては、請求項１から５のいずれか１項の発明の効果に加えて、操作部を切替ユニットに対して着脱自在に設けるとともに操作部に送信部を有することで、使用者が操作部を携帯しもしくは使いやすい場所に設置して水処理装置を操作することができる。
【００２７】
本願請求項７記載の発明の水処理装置においては、請求項１から６のいずれか１項の発明の効果に加えて、操作部へ電源を供給する必要がなくなるため、切替ユニットへの電源コードの接続を要せず、操作部を自由に持ち運ぶことができるとともに操作部の設置場所の制約を少なくすることができる。
【発明を実施するための最良の形態】
【００２８】
図１、２は、本願発明の実施の形態の一例を示す水処理装置であり、この水処理装置は図１に示すように、原水を供給する水栓１に付設されて原水の水路を切替える切替ユニット３と、この切替ユニット３とは離れて設置され同切替ユニット３から水路が切替えられて供給される原水の水処理を行う処理装置本体２と、を備えた水処理装置において、切替ユニット３には、処理装置本体２を無線操作する操作部６と、この操作部６による無線信号を切替ユニット３及び処理装置本体２よりも上方に位置する反射部８に向けて送信する送信部７と、を設け、処理装置本体２には、反射部８で中継反射された前記無線信号を受信する受信部９を設けている。また本例では前記反射部８を切替ユニット３及び処理装置本体２が設置される部屋の天井８ａで構成している。
【００２９】
次に、同じく図１に示すように、送信部７及び受信部９は、切替ユニット３、処理装置本体２の各上面に設けている。
【００３０】
また、この水処理装置では図２（ａ）に示すように、切替ユニット３において切替えられた水路の種類を表示する水路表示部１３を有している。
【００３１】
更にこの場合、図２（ｂ）に示すように、操作部６は切替ユニット３に対して着脱自在に設けられるとともに操作部６には送信部７を備えていて、しかも、操作部６はその電源として電池１６ａを使用している。
【００３２】
以下、本実施形態の水処理装置をより具体的詳細に説明する。図１に示すように、水道水等の原水が供給される水栓1が流し台の上面に設けられていて、同じく流し台の上面には水処理装置の処理装置本体２が設置されている。
【００３３】
水栓１の先端には供給された原水を所定の水路に切替えて送る切替ユニット３が設けられており、その切替ユニット３と処理装置本体２には、切替ユニット３から処理装置本体２へ原水を給水するとともに処理装置本体２で処理された処理水を処理装置本体２から切替ユニット３へ送水するための給水・送水ホース４が接続されている。
【００３４】
切替ユニット３には操作部６が設けられていて、その操作部６の上側には、操作部６に入力された内容を無線信号により送信する送信部７が設けられている。送信部７は赤外線通信用の赤外線ＬＥＤ等により構成されている。
【００３５】
一方、処理装置本体２の上側には送信部７から送信された無線信号が天井８ａで中継反射され、その中継反射された無線信号を受信する受信部９が設けられている。受信部９も送信部７と同様に赤外線通信用の赤外線ＬＥＤ等により構成されている。
【００３６】
また、処理装置本体２の側面下側には排水ホース５が接続されていて、処理装置本体２で処理された処理水のうち切替ユニット３に送水されない処理水や、処理装置本体２の内部洗浄に使用された洗浄水等を排水している。
【００３７】
次に図２（ａ）に示すように、切替ユニット３の上側には切替ユニット３を水栓１に取りつけるための取付部１０を備えていて、背面側には給水・送水ホース４を接続するための接続部１１が設けられている。
【００３８】
切替ユニット３の前面側には切替レバー１２が設けられていて、水栓１より供給された原水を例えば処理装置本体２へ給水したり、また切替ユニット３の下方より直接またはシャワー状にして吐水させる等、原水を複数ある水路のうち所定の水路へ切替えて送ることができる。
【００３９】
その切替レバー１２は、切替ユニット３の上側に配置され切替えられた水路を表示する水路表示部１３と連動していて、切替えられた水路を確認することができる。
【００４０】
取付部１０の手前側には操作部６が設けられていて、その操作部６には処理装置本体２の処理水の水質を設定するための複数の水質設定ボタン１４（ここでは一例として弱酸性、浄水、アルカリを示す）と、水路表示部１３の上面をカバーするとともに水路表示部１３を透視可能な水路表示窓１５が設けられている。
【００４１】
前記送信部７の側方には、信号が送信されている間に処理装置本体２が動作中であることを使用者に報知する動作ランプ１６が設けられている。
【００４２】
また操作部６の下側には、操作部６の電源に用いられる電池１６ａを備えている。
【００４３】
そして図２（ｂ）に示すように、操作部６は切替ユニット３に対し必要に応じて取り外すことができるように構成されている。
【００４４】
さらに操作部６においては、万が一操作部６に水がかかったとしても誤動作や故障を起こさないように、内部に組み込まれている回路基板等はポッティングされ、操作部６の接合部分は超音波等で溶着されるとともに、特に電池１６ａは水の浸入を防ぐためにパッキン等（図示せず）でシールすることで防水処理を施している。
【００４５】
図３に示すように、処理装置本体２の上部には操作部６の送信部７から送信され天井８ａで中継反射された無線信号を受信する受信部９が設けられている。
【００４６】
次に受信部９の下側には、処理装置本体２側でも処理水の水質を設定することができるように、複数の水質設定ボタン１７（ここでは一例として弱酸性、浄水、アルカリ１、アルカリ２およびアルカリ３を示す）が配置されている。
【００４７】
水質設定ボタン１７の上側には、水質設定ボタン１７または前記操作部６の水質設定ボタン１４により選択された水質を表示する水質表示ランプ１８が設けられている。
【００４８】
また、処理装置本体２の正面上側には処理装置本体２の使用状態を表示する液晶等からなる表示部１９（ここでは一例として処理水のｐＨ値を示す）が設けられている。
【００４９】
処理装置本体２の側面下側には、前記切替ユニット３から処理装置本体２へ原水を給水するとともに処理装置本体２で処理された処理水を処理装置本体２から切替ユニット３へ送水するための給水・送水ホース４と、処理装置本体２で処理された処理水のうち切替ユニット３に送水されない処理水や、処理装置本体２の内部洗浄に使用される洗浄水を排水するための排水ホース５が接続されている。
【００５０】
このうち、給水・排水ホース４は図３に示すように二重構造になっていて、内側に切替ユニット３から処理装置本体２に原水が給水される給水水路２０を有し、外側に処理装置本体２で処理された処理水を切替ユニット３に送水する送水水路２１を備えている。
【００５１】
図４に示すように、操作部６の送信部７は支持部２２に設けられていて、その支持部２２の上部には操作部６の上面側を構成する操作部上面パネル２２ａが設けられている。
【００５２】
支持部２２と操作部上面パネル２２ａは各々ＡＢＳ等のプラスチックから構成されるとともに、内部に水が浸入しないように超音波溶着等により接合されている。
【００５３】
また、操作部上面パネル２２ａの上側にはＰＥＴ（ポリエチレン・テレフタレート）等からなるシート２３が設けられていて、送信部７から送信された無線信号が透過できるとともに送信部７を保護している。
【００５４】
一方、処理装置本体２の受信部９の側面側および上方側には処理装置本体上面パネル２４が配置されていて、その処理装置本体上面パネル２４の上側には同様にＰＥＴ（ポリエチレン・テレフタレート）等からなるシート２５が設けられていて、天井８ａで中継反射された無線信号が透過して受信部９で受信することができるとともに、受信部９を保護している。
【００５５】
図５に示すように、切替ユニット３内には原水を所定の水路に切替える水路切替弁２６が設けられていて、その水路切替弁２６は、切替レバー１２を操作することにより切替レバー１２に連動して回転する切替弁棒２６ａと、切替弁棒２６ａに設けられた突起カム２６ｂと、突起カム２６ｂに隣接して配置された弁体２７および弁体に設けられたスプリング２８により構成されている。
【００５６】
弁体２７およびスプリング２８は、原水を処理装置本体２へ給水する給水水路２０に接続された給水導入路２９に設けられているが、その他にも切替ユニット３の下方へ吐水する水路と、同じく切替ユニット３の下方へシャワー状にして吐水する水路にも設けられている。
【００５７】
また切替弁棒２６ａは水路表示部１３と連動していて、切替弁棒２６ａにより切替えられた水路が水路表示部１３に表示されている。
【００５８】
このとき、例えば切替レバー１２により浄水が選択された場合は、切替弁棒２６ａに設けられた突起カム２６ｂが弁体２７および弁体２７に設けられたスプリング２８を押すことで水路が開き、原水は給水導入路２９から給水水路２０を介して処理装置本体２へ給水される。
【００５９】
一方、処理装置本体２で処理された処理水は送水水路２１を介して、切替ユニット３内に設けられた送水導入路３０を通り、切替ユニット３の下方に開口している吐水口３１から吐水される。
【００６０】
図６に示すように、切替ユニット３の操作部６内には操作部６を制御する送信制御部３２が配置されていて、その送信制御部３２には送信部７と水質設定ボタン１４、および電池１６ａが接続されている。
【００６１】
一方、処理装置本体２内には処理装置本体２側を制御する制御部３３が配置されていて、その制御部３３には受信部９と水質設定ボタン１７と表示ランプ１８、および表示部１９が接続されている。
【００６２】
また処理装置本体２内には、給水された原水をろ過して不純物を除去し浄水処理を行う浄水部３４と、浄水の流量を検知して制御部３３へ送信する流量検知部３５と、グリセロリン酸カルシウム等の電解補助財を添加する電解補助剤添加部３６、および浄水を電気分解してアルカリイオン水や弱酸性イオン水を生成する電解槽３７が設けられている。
【００６３】
さらに、制御部３３には制御部３３に電源を供給する電源部３８が接続されていて、制御部３３は前記各部に電源を供給するとともに、必要に応じて電解槽３７へ電解電圧を印加している。
【００６４】
以上の構成において、本実施形態における水処理装置の動作を図１から図６を用いて説明する。
【００６５】
使用者が、切替ユニット３の切替レバー１２を操作して切替ユニット３の水路表示部１３を浄水に切替えると、切替ユニット３内に配置された水路切替弁２６の切替弁棒２６ａが回転して、切替弁棒２６ａに設けられた突起カム２６ｂが弁体２７とスプリング２８を押すことで給水導入路２９への水路が開かれる。
【００６６】
ここで切替レバー１２を操作することで、同様に切替ユニット３の下方へ吐水する水路や切替ユニット３の下方へシャワー状にして吐水する水路も開くことができる。
【００６７】
次に、切替ユニット３の操作部６に設けられた水質設定ボタン１４を押し、所定の水質（ここでは例としてアルカリを選択）に設定する。
【００６８】
このとき、水質設定ボタン１４により設定された内容は送信制御部３２に送られ、送信制御部３２は設定された内容を送信部７から無線信号により送信する。
【００６９】
送信部７から上方に向けて送信された無線信号は、天井８ａにおいて中継反射された後、下方の処理装置本体２の受信部９に向かい、受信部９において受信される。
【００７０】
ここで、切替ユニット３と処理装置本体２の間に例えば食器等が置かれていたり、使用者が水栓１の向きを変更したことで切替ユニット３の位置が変化していたとしても、無線信号は天井８ａの中継反射により送受信がなされるために、常時確実に無線信号の送受信を実施することができる。
【００７１】
また、送信部７から受信部９へ無線信号の送信を実施している間は、操作部６の動作ランプ１６が点灯または点滅することで、使用者に操作部６が動作していることを報知している。
【００７２】
処理装置本体２においては、受信部９で受信された無線信号が制御部３３に送信され、制御部３３が水質表示ランプ１８または表示部１９に使用者が設定した水質を表示させる。使用者は設定した水質を処理装置本体２の水質表示ランプ１８または表示部１９において確認することができる。
【００７３】
次に使用者が水栓１の蛇口を開くと、水道水等の原水が切替ユニット３に供給され、供給された原水は給水導入路２９を流れ、給水導入路２９に接続された給水水路２０に流入する。
【００７４】
給水水路２０に流入した原水は処理装置本体２に給水されるが、まず浄水部３４においてろ過等により不純物が除去される浄水処理が行われる。浄水処理された浄水は流量検知部３５を通り、電解補助剤添加部３６においてグリセロリン酸カルシウム等の電解補助剤が添加された後電解槽３７に流入する。
【００７５】
流量検知部３５において流量が検知されると検知された流量が制御部３３へ送信され、制御部３３が電解槽３７へ所定の電解電圧を印加する。電解電圧が印加されると、電解槽３７に流入した浄水が電気分解されてアルカリイオン水および弱酸性イオン水が生成される。
【００７６】
そして生成されたアルカリイオン水は送水水路２１により送水され、送水水路２１に接続された切替ユニット３内の送水導入路３０を流れて吐水口３１より吐水される。またアルカリイオン水とともに生成された弱酸性イオン水は、排水ホース５より排水される。
【００７７】
使用者が水栓１を閉じると、流量検知部３５が水流停止を検知して制御部３３に送信し、制御部３３が電解槽３７への電解電圧印加を停止して運転が終了する。
【００７８】
以上のように本実施形態の水処理装置においては、切替ユニット３と処理装置本体２の間に食器等が置かれていた場合や、使用者が水栓１の向きを変更したことで切替ユニット３の位置が変化したとしても、操作部６の送信部７から送信された無線信号は天井８ａにより中継反射されて、処理装置本体２の受信部９で受信できるために、常時確実に無線信号の送受信を実施できる極めて使い勝手のよい水処理装置を提供することができる。
【００７９】
また、切替ユニット３に水路表示部１３を設けたことにより、使用者は水路表示部１３により設定した水路を容易に確認することができる。
【００８０】
さらに前記操作部６は、切替ユニット３の前方かつ上面に配置することにより、水質を切替える操作が容易になるとともに、切替ユニット３の操作性や使い勝手を向上することができる。
【００８１】
一方、使用者が切替ユニット３を操作部６から取り外して操作する場合は、切替ユニット３の切替レバー１２の操作は上述の内容と同様であり、使用者は操作部６を切替ユニット３から取り外し、携帯もしくは操作しやすい場所に設置する。
【００８２】
このとき、例えば操作部６の背面に磁石や吸盤（いずれも図示せず）を設けておけば、操作部６を容易に設置場所へ固定することができる。
【００８３】
次に、操作部６に設けられた水質設定ボタン１４を押し、所定の水質（ここでは例としてアルカリを選択）に設定する。
【００８４】
このとき、水質設定ボタン１４により設定された内容は送信制御部３２に送信され、送信制御部３２は送信部７から設定された内容を無線信号により送信する。
【００８５】
送信部７から送信された無線信号は、天井８ａにおいて中継反射された後処理装置本体２の受信部９において受信される。
【００８６】
ここで、切替ユニット３と処理装置本体２の間に例えば食器等が置かれていたとしても、無線信号は天井８ａの中継反射により送受信がなされるために、常時確実に無線信号の送受信を実施することができる。以後の動作については、操作部６を切替ユニット３に取りつけた状態で操作する上述の場合と同様である。
【００８７】
したがって、操作部６を切替ユニット３から取り外して操作する場合においては、使用者は操作部６を携帯しもしくは最も使いやすい場所に設置して操作することができるために、水処理装置の操作性を著しく高めることができる。
【００８８】
また、操作部６の電源には電池１６ａを使用しているために操作部６へ電源コード等を接続する必要がなくなり、操作部６を自由に持ち運ぶことができるとともに操作部６の設置場所の制約を少なくすることができる。
【００８９】
また、操作部６の水質設定ボタン１４で弱酸性が選択されたときは、吐水口３１からは弱酸性イオン水が吐水されるとともに排水ホース５からはアルカリイオン水が排水される。もし水質設定ボタン１４で浄水が選択されたときは、電解槽３７に電解電圧が印加されることはなく、吐水口３１および排水ホース５のいずれからも浄水が吐水および排水される。
【００９０】
さらに、本例においては操作部６により処理装置本体２の操作を行ったが、例えば使用者が、切替ユニット３より取り外して別の場所に設置した操作部６よりも処理装置本体２の近くにいるときは、処理装置本体２に設けられている水質設定ボタン１７を使用して所定の水質に設定してもよい。
【００９１】
また上記実施例では反射部８を天井８ａとしたが、以下に示す反射板８ｂのような反射部８を別途設置しても良く、以下、反射部を反射板８ｂで構成した例につき説明する。なお以下の説明では上記図１に示す実施形態と同一の構成については同一の番号を付与し、重複する説明は省略する。
【００９２】
図７に示すように本例の反射部８を構成する反射板８ｂは切替ユニット３及び処理装置本体２を設置した部屋の壁や柱４１等（図示例では柱４１）の設置部に取付具４３を介して取付けられる。
【００９３】
反射板８ｂは鏡ケース５１の前面に形成した凹所５に鏡５２を嵌め込んで構成されている。反射板８ｂは反射面となる鏡５２の前面を半径１．５〜２ｍの凹曲面５２ａとしてあり、送信部７からの送られた無線信号が鏡５２に反射した際の拡散を軽減している。反射板８ｂの鏡ケース５１の背面中央部には取付具４３に連結される連結部５４を形成している。連結部５４はシリコンゴム等の少し軟らかい樹脂からなり、反射板８ｂの背面側に開口する球面状凹部５３を有している。
【００９４】
上記反射板８ｂの取付けに用いられる取付具４３は一端部に粘着テープや固定ねじ等によって部屋の壁や柱４１等の設置部に取付けられる固定部材４４を有しており、この固定部材４４と固定部材４４に連結した連結部材４７とで構成されている。
【００９５】
固定部材４４の設置部と反対側の面の中央部には連結部５０を形成している。連結部５０には一端に反射板８ｂを取付けた連結部材４６の他端を連結してあり、連結部材４６は固定部材４４との連結部分を中心に一定の範囲内で水平方向及び上下方向に向きが変えられるようになっている。
【００９６】
連結部材４６は図８に示すように固定部材４４側の第一支持アーム４７と反射板８ｂ側の第二支持アーム４８とからなる。第一支持アーム４７の一端を固定部材４４に連結すると共に、第一支持アーム４７の他端に第二支持アーム４８の一端を枢支して連結してあり、連結部材４６は第一支持アーム４８と第二支持アーム４７との連結部分で屈折できるようになっている。また第二支持アーム４８の固定部材４４側の他端には球体４９を設けている。球体４９は反射板８ｂの背面に形成した前記球面状凹部５３に摺動自在に嵌め込んであり、これにより反射板８ｂは取付具４３との連結部分を中心に回動して水平方向及び上下方向に向きが変えられるようになっている。
【００９７】
上記取付具４３により反射板８ｂは切替ユニット３及び処理装置本体２よりも上方位置に設置されるものであり、このような取付具４３を用いて部屋の壁や柱４１等の設置部に取付けられた反射板８ｂは、固定部材４４と第一支持アーム４８、第一支持アーム４８と第二支持アーム４７、第二支持アーム４７と反射板８ｂの夫々の連結部分を回動することで、反射板８ｂの向きが変更可能となっている。
【００９８】
上記反射板８ｂを反射部８とした場合も、切替ユニット３の送信部７より送信された無線信号は任意の向きに向けた反射板８ｂで中継反射され、この後、受信部９において受信される。このように本例では反射部８として向きを変更可能とした反射板８ｂを設置したので、例えば切替ユニット３及び処理装置本体２上方の天井８ａが無線信号を中継反射し難い素材の場合や、非常に高く無線信号の中継反射に適さない場合などにも、切替ユニット３より送信された無線信号を中継反射を用いて処理装置本体２の受信部９にて確実に受信できる。またこの反射板８ｂの向きは変更できるようになっているので、反射板８ｂの向きを微調整して送信部７からの無線信号を受信部９でより確実に受信するようにもできる。
【００９９】
なお反射板８ｂは既述のように天井８ａの素材や天井８ａの高さ等により天井８ａが無線信号を反射し難い場合だけでなく天井８ａを反射部８として無線信号を伝達できる状態において補助的に用いても良い。また反射面となる鏡５２の前面を凹面としたが平坦な面としても良い。また反射板８ｂの反射面を鏡５２で構成したが、無線信号を反射しやすい素材や色であれば、鏡５２に変えて樹脂板やナイロン等の布を採用しこれらで反射面を構成しても良い。また既述した実施例では反射部８を切替ユニット及び処理装置本体の上方に位置する天井８ａや反射板としたが、反射部８は天袋の下面部等であってもよい。またいずれの実施例でも無線信号として赤外線を用いたが無線信号は例えば超音波や弱い電波等であってもよい。
【図面の簡単な説明】
【０１００】
【図１】本願発明の実施形態の一例の水処理装置の設置状態を示す斜視図。
【図２】（ａ）同水処理装置における切替ユニットの斜視図（操作部取り付け時）。（ｂ）同水処理装置における切替ユニットの斜視図（操作部取り外し時）。
【図３】同水処理装置における処理装置本体の斜視図。
【図４】同水処理装置における送信部と受信部の断面図。
【図５】同水処理装置における切替ユニットの断面図。
【図６】同水処理装置における制御ブロック図。
【図７】他例の水処理装置の設置状態を示す斜視図。
【図８】（ａ）同水処理装置における反射板の設置状態を示す斜視図。（ｂ）同水処理装置における反射板の側面図。
【符号の説明】
【０１０１】
１  水栓
２  処理装置本体
３  切替ユニット
６  操作部
７  送信部
８  反射部
８ａ  天井
８ｂ  反射板
９  受信部
１３  水路表示部
１６ａ  電池
【図１】
0004793201.tif 000002
【図２】
0004793201.tif 000003
【図３】
0004793201.tif 000004
【図４】
0004793201.tif 000005
【図５】
0004793201.tif 000006
【図６】
0004793201.tif 000007
【図７】
0004793201.tif 000008
【図８】
0004793201.tif 000009